(57)【要約】【課題】  スピーカ出力用の穴から浸入する水等のスピーカへの到達を低減することができるとともに、浸入した水等を外部へ速やかに排出することができるリモコンを提供する。【解決手段】  スピーカ７が内蔵されたケース２の前面側の壁部分を形成するケース前壁部２０の前面側に化粧プレート３が取り付けられ、ケース前壁部２０の背面側にスピーカ７が固定されたリモコンであって、ケース前壁部２０は、スピーカ７と対応する所定領域Ｈにおいて、所定領域Ｈ内の所定位置を中心にして放射状に延びる複数の桟部２１が化粧プレート３から離間して設けられるともに、所定領域Ｈ内の桟部２１以外の領域が開口されてなる複数の放音孔２４が設けられており、化粧プレート３は、前方から視て桟部２１と交差するように開口されてなる透音孔３ａが設けられている。【選択図】  図２
2018085619.tif 000002
【特許請求の範囲】
【請求項１】
スピーカが内蔵されたケースの前面側の壁部分を形成するケース前壁部の前面側に化粧プレートが取り付けられ、前記ケース前壁部の背面側に前記スピーカが固定されたリモコンであって、
前記ケース前壁部は、前記スピーカと対応する所定領域において、前記所定領域内の所定位置を中心にして放射状に延びる複数の桟部が前記化粧プレートから離間して設けられるともに、前記所定領域内の前記桟部以外の領域が開口されてなる複数の放音孔が設けられており、
前記化粧プレートは、前方から視て前記桟部と交差するように開口されてなる透音孔が設けられた、
リモコン。
【請求項２】
前記ケース前壁部は、これの前面側に前記所定領域の下端から下方へ延びる排水溝が設けられた、
請求項１に記載のリモコン。
【請求項３】
前記ケース前壁部は、前記所定領域内の前記所定位置を中心とする環状部が設けられ、前記桟部が前記環状部から放射状に延びるように形成された、
請求項１または２に記載のリモコン。
【請求項４】
前記環状部は、前記化粧プレートと当接するよう構成された、
請求項３に記載のリモコン。
【請求項５】
鉛直方向以外の方向に延びる前記桟部は、この延びる方向に対して垂直な断面形状において背面側から前面側へ向かって下方へ傾斜し、かつ前面側に面する傾斜面を有している、
請求項１〜４のいずれかに記載のリモコン。
【発明の詳細な説明】
【技術分野】
【０００１】
本発明は、スピーカを内蔵したリモコン（リモートコントローラ）に関する。
【背景技術】
【０００２】
従来より、スピーカを内蔵したリモコンが知られている（例えば、特許文献１参照）。特許文献１には、音抜けを向上させるために、リモコンケースのスピーカ前面に複数のスリット状のケース側開口部を開口し、このケース側開口部間のケース側桟部をスピーカに近づくにつれて縮小するテーパ断面形状とし、リモコンケースの前面側にリモコンケースの前面と離間してリモコンカバーを設け、該リモコンカバーのスピーカに対応する位置に複数のスリット状のカバー側開口部を開口し、このカバー側開口部間のカバー側桟部をスピーカに近づくにつれて縮小するテーパ断面形状とした構成が記載されている。
【先行技術文献】
【特許文献】
【０００３】
【特許文献１】特開２０１４−２０４２２７号公報
【発明の概要】
【発明が解決しようとする課題】
【０００４】
上記の特許文献１では、スリット状のカバー側開口部とスリット状のケース側開口部とが平行に配置されているので、シャワー等によってカバー側開口部から入った水等は、ケース側開口部を通過してスピーカに到達しやすいと考えられる。また、リモコンカバーとリモコンケースとの間に水等が入った場合に、例えばケース側桟部にかかった水等を速やかに排出することについては十分な検討がなされていない。
【０００５】
本発明は上記のような課題を解決するためになされたもので、スピーカ出力用の穴から浸入する水等のスピーカへの到達を低減することができるとともに、浸入した水等を外部へ速やかに排出することができるリモコンを提供することを目的としている。
【課題を解決するための手段】
【０００６】
上記目的を達成するために、本発明のある態様に係るリモコンは、スピーカが内蔵されたケースの前面側の壁部分を形成するケース前壁部の前面側に化粧プレートが取り付けられ、前記ケース前壁部の背面側に前記スピーカが固定されたリモコンであって、前記ケース前壁部は、前記スピーカと対応する所定領域において、前記所定領域内の所定位置を中心にして放射状に延びる複数の桟部が前記化粧プレートから離間して設けられるともに、前記所定領域内の前記桟部以外の領域が開口されてなる複数の放音孔が設けられており、前記化粧プレートは、前方から視て前記桟部と交差するように開口されてなる透音孔が設けられている。
【０００７】
この構成によれば、前方から視て、化粧プレートの透音孔は、ケース前壁部の桟部と交差するように設けられているので、シャワー等によって透音孔（スピーカ出力用の穴）から浸入する水等は、その多くが桟部にかかり、放音孔から浸入してスピーカへ到達する水等を低減することができる。また、複数の桟部が、スピーカと対応する所定領域内において放射状に設けられているので、桟部にかかった水等は桟部を伝って流れ落ちることができ、外部へ速やかに排出することが可能になる。また、前方から視て桟部の間の放音孔と化粧プレートの透音孔とに重なり部分があるとともに、桟部と化粧プレートとが離間して空間が設けられているので、スピーカの出力音は、放音孔から直接透音孔を通過して外部へ届くとともに、放音孔から桟部と化粧プレートとの間の空間を抜けて透音孔を通過して外部へ届くことにより、スピーカの出力音が外部へ届きやすい。
【０００８】
前記ケース前壁部は、これの前面側に前記所定領域の下端から下方へ延びる排水溝が設けられていてもよい。この構成によれば、シャワー等によって透音孔から浸入して桟部にかかった水等は、桟部を伝って排水溝へ流れ落ち、排水溝から外部へ排出することができる。
【０００９】
前記ケース前壁部は、前記所定領域内の前記所定位置を中心とする環状部が設けられ、前記桟部が前記環状部から放射状に延びるように形成されていてもよい。この構成によれば、環状部より上方の桟部にかかった水等は、桟部を伝って環状部の外周側面へ到達し、さらに環状部の外周側面を伝って下方の桟部へ流れ落ちる。
【００１０】
前記環状部は、前記化粧プレートと当接するよう構成されていてもよい。この構成によれば、環状部が化粧プレートの支持に寄与できる。
【００１１】
鉛直方向以外の方向に延びる前記桟部は、この延びる方向に対して垂直な断面形状において背面側から前面側へ向かって下方へ傾斜し、かつ前面側に面する傾斜面を有していてもよい。この構成によれば、桟部にかかった水等は、傾斜面を伝って桟部の前面側へ流れ落ち、背面側にあるスピーカへの水等の到達をより低減できる。
【発明の効果】
【００１２】
本発明は、以上に説明した構成を有し、スピーカを内蔵したリモコンにおいて、スピーカ出力用の穴から浸入する水等のスピーカへの到達を低減することができるとともに、浸入した水等を外部へ速やかに排出することができるという効果を奏する。
【図面の簡単な説明】
【００１３】
【図１】図１（Ａ）は、本発明の実施形態の一例のリモコンの外観を示す斜視図であり、図１（Ｂ）は、同リモコンから化粧プレートを取り外した状態を示す斜視図である。
【図２】図２（Ａ）は、スピーカと対応する領域付近のリモコンの正面図であり、図２（Ｂ）は、図２（Ａ）におけるＩ−Ｉ線断面において要部を示す概略図である。
【図３】図３は、前ケース部のケース前壁部のスピーカと対応する領域付近の正面図である。
【図４】図４（Ａ）は、スピーカと対応する所定領域及び排水溝の部分を拡大した斜視図であり、図４（Ｂ）は、図４（Ａ）に示す斜視図において水等が流れ落ちる方向の一例を矢印で示した図である。
【発明を実施するための形態】
【００１４】
以下、好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００１５】
（実施形態）
図１（Ａ）は、本発明の実施形態の一例のリモコンの外観を示す斜視図であり、図１（Ｂ）は、同リモコンから化粧プレートを取り外した状態を示す斜視図である。
【００１６】
このリモコン１は、図示しない公知の給湯器本体と共に使用されるものであり、この給湯器本体を遠隔操作可能な装置である。具体的に説明すると、リモコン１は、給湯器本体に内蔵された制御装置、つまり、給湯器本体の制御を統括するための制御装置（図示せず）と電気的に接続された状態であり、リモコン１と給湯器本体の制御装置とは、互いに信号を送受信可能である。
【００１７】
リモコン１は、前ケース部２ａ及び後ケース部２ｂからなるケース２と、ケース２の前面の上部に装着された化粧プレート３と、ケース２の前面の下部に装着された開閉蓋４とを備えている。開閉蓋４には、複数の操作ボタン６が設けられている。また、開閉蓋４は、その下端部がヒンジ構造によってケース２と接続されており、矢印Ｓで示す方向に開くことができる。開閉蓋４の内側のケース２上にも操作ボタンが設けられており、これらの操作ボタンを開閉蓋４を開いて操作することができる。
【００１８】
そして、ケース２の内部には、ブザー音や音声を出力するスピーカ７（図２、図３参照）、遠隔操作等を実行可能とする図示しない制御基板や信号線、電力線等が収容されている。なお、制御基板は、スピーカ７や表示部５の制御等を含め、リモコン１全体の制御を行う。
【００１９】
前ケース部２ａは、化粧プレート３及び開閉蓋４が装着される前壁部分（前面側の壁部分）と、この前壁部分の周囲から背面側へ延びる側壁部分とを有している。以下では、前壁部分のうちの化粧プレート３が装着される部分をケース前壁部２０と言う。
【００２０】
ケース前壁部２０には、液晶パネル等の表示部５が装着されている。そして、ケース前壁部２０に装着される化粧プレート３には、表示部５を露出させるための開口部３ｂが設けられている。ここで、表示部５は公知のものであり、本発明と直接関連するものではないので詳細な説明は省略する。
【００２１】
このリモコン１は、上述のように、スピーカ７を内蔵しており、例えば浴室に設置される。そして、浴室内のシャワー等によって水等がかかり、その水等が内部に浸入してもスピーカ７へ到達しにくくするとともに、浸入した水等を速やかに外部へ排出することができるよう構成されている。この構成について、以下に詳しく説明する。
【００２２】
ケース前壁部２０には、スピーカ７（図２、図３参照）と対応する所定領域Ｈ内に、仮想の鉛直面に沿って放射状に配置された複数の桟部２１と、これら桟部２１の放射状の中心部分に配置された中央支持部２２とが設けられている。そして、所定領域Ｈの下端から下方へ延びる排水溝２３が設けられている。そして、化粧プレート３には、所定領域Ｈの前方部分の領域に複数の円弧状の透音孔３ａが設けられている。これらの詳細な構成について、さらに図２〜図４を参照して説明する。
【００２３】
図２（Ａ）は、スピーカ７と対応する領域付近のリモコン１の正面図であり、図２（Ｂ）は、図２（Ａ）におけるＩ−Ｉ線断面において要部を示す概略図である。また、図３は、前ケース部２ａのケース前壁部２０のスピーカ７と対応する領域付近の正面図である。図４（Ａ）は、スピーカ７と対応する所定領域Ｈ及び排水溝２３の部分を拡大した斜視図であり、図４（Ｂ）は、図４（Ａ）に示す斜視図において水等が流れ落ちる方向の一例を矢印で示した図である。
【００２４】
スピーカ７は、図２（Ｂ）に示すように、前ケース部２ａのケース前壁部２０の内側（背面側）の所定位置に、パッキン８を介して取付部材（図示せず）によって取り付けられ、固定されている。
【００２５】
そして、図３に示すように、ケース前壁部２０のスピーカ７と対応する所定領域Ｈには、その内部に中央支持部２２が配置されている。中央支持部２２は、短い略円筒状の環状部２２ａ（図２（Ｂ）も参照）と、この環状部２２ａの内部を埋める中央部２２ｂとを有している。環状部２２ａの外周側面から所定領域Ｈの外縁部分にかけて放射状に延びる複数の桟部２１が配置されている。すなわち、複数の桟部２１の放射状の中心部分に中央支持部２２（環状部２２ａ）が配置されている。所定領域Ｈ内において桟部２１以外の領域は開口されてスピーカ７の出力音を通過させるための放音孔２４となっている。よって、互いに隣り合う桟部２１の間が放音孔２４となり、放音孔２４は複数設けられている。そして、図２（Ａ）に示すように、前方（正面）から視て、化粧プレート３の透音孔３ａが複数の桟部２１及び放音孔２４と交差するように設けられている。また、前方から視て（透視して）、円弧状に形成された複数の透音孔３ａの中心は、複数の桟部２１の放射状の中心（すなわち環状部２２ａの中心）と一致している。
【００２６】
上述のように、前方から視て、透音孔３ａは、桟部２１と交差するように設けられているので、シャワー等によって透音孔３ａから浸入する水等は、その多くが桟部２１にかかり、スピーカ７へ到達しにくくなっている。また、前方から視て、桟部２１の間の放音孔２４と化粧プレート３の透音孔３ａとに重なり部分があるとともに、桟部２１と化粧プレート３とが離間して空間が設けられているので、スピーカ７の出力音は、放音孔２４から直接透音孔３ａを通過して外部へ届くとともに、放音孔２４から桟部２１と化粧プレート３との間の空間を抜けて透音孔３ａを通過して外部へ届くことにより、スピーカ７の出力音が外部へ届きやすいようになっている。
【００２７】
また、図２（Ｂ）に示すように、各々の桟部２１は、化粧プレート３と離間するようにケース前壁部２０の前面の表面位置から後退した位置に設けられている。そして、環状部２２ａは、桟部２１よりも前方へ突出して化粧プレート３と当接しており、これにより化粧プレート３の支持に寄与している。
【００２８】
そして、ケース前壁部２０には、所定領域Ｈの下端から下方へ延びて外部に通じる排水溝２３が設けられている。この排水溝２３は、ケース前壁部２０の前面側に形成され、スピーカ７の中心軸７ａの直下に配置されている。なお、本例では、レイアウト等の都合上、環状部２２ａの中心とスピーカ７の中心軸７ａとがずれて中央支持部２２が配置されているが、環状部２２ａの中心とスピーカ７の中心軸７ａとが一致するように中央支持部２２が配置されるように構成してもよい。この場合、所定領域Ｈを前方から視て左右対称な形状とすることができる。
【００２９】
また、図４（Ａ）に示すように、各桟部２１には、傾斜面２１ａ、２１ｂが形成されている。ここで、鉛直方向以外の方向に延びる桟部２１の傾斜面２１ａは、円１００内に示すように、桟部２１の延びる方向（長手方向）に対して垂直な断面形状において、背面側から前面側へ向かって下方へ傾斜するように形成されている。また、鉛直方向に延びる桟部２１の傾斜面２１ｂは、その傾斜面２１ｂが排水溝２３側に臨むように形成されている。そして、いずれの傾斜面２１ａ、２１ｂも前面側に面するように形成されている。
【００３０】
各桟部２１に上記のような傾斜面２１ａ、２１ｂを設けることにより、化粧プレート３の透音孔３ａを通過して所定領域Ｈ内へ浸入した水等は、例えば図４（Ｂ）の矢印で示すように流れ落ちる。例えば、環状部２２ａから上方へ延びる桟部２１に到達した水等は、傾斜面２１ａ、２１ｂ等を伝って環状部２２ａの外周側面へ到達し、さらに環状部２２ａの外周側面を伝って下方へ流れる。さらに、環状部２２ａから下方へ延びる桟部２１及び所定領域Ｈの縁部を伝って排水溝２３へ集められて、排水溝２３から外部へ排出される。また、環状部２２ａから水平方向へ延びる桟部２１に到達した水等は、その傾斜面２１ａ等を伝って下方へ流れ落ち、その下方の桟部２１及び所定領域Ｈの縁部を伝って排水溝２３へ集められて、排水溝２３から外部へ排出される。
【００３１】
桟部２１の傾斜面２１ａが、前面側に面し、かつ、円１００内の断面形状に示されるように、背面側から前面側へ向かって下方へ傾斜するように形成されているので、桟部２１から流れ落ちる水等は傾斜面２１ａを伝って桟部２１の前面側へ流れ落ち、背面側にあるスピーカ７へ到達する水等をより低減できる。
【００３２】
なお、本実施形態では、複数の桟部２１の放射状の中心部分に設けた中央支持部２２を、環状部２２ａとその内部を埋める中央部２２ｂとで構成しているが、中央部２２ｂが無く、環状部２２ａのみで構成されてもよい。また、中央支持部２２が無く、複数の桟部２１が放射状に設けられているだけの構成も可能である。
【００３３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００３４】
本発明は、スピーカ出力用の穴から浸入した水等のスピーカへの到達を低減することができるとともに、浸入した水等を外部へ速やかに排出することができるリモコン等として有用である。
【符号の説明】
【００３５】
１  リモコン
２  ケース
３  化粧プレート
３ａ  透音孔
７  スピーカ
２０  ケース前壁部
２１  桟部
２１ａ  傾斜面
２２ａ  環状部
２３  排水溝
２４  放音孔
Ｈ  所定領域
【図１】
2018085619.tif 000003
【図２】
2018085619.tif 000004
【図３】
2018085619.tif 000005
【図４】
2018085619.tif 000006